(57)【要約】      （修正有）【課題】雨水の浸入を防止する専用屋根付き軽トラック荷台シートを提供する。【解決手段】軽トラックの荷台に設ける傾斜付き屋根１に前記傾斜付き屋根を支える足３と荷台シート３０を保持するフックをつけ、前記荷台シート３０にチャック８とチャック８を覆う防水シート９を備える。【選択図】図６
0003176714.tif 000002
【実用新案登録請求の範囲】
【請求項１】
ステンレス製の傾斜をつけた巾１０ｃｍの屋根に、それを支える足を付け、背中側を覆い、覆った背中側の内側７箇所に軽トラック荷台シートを接続させるためのフックを付けた軽トラック荷台シート専用屋根。
【請求項２】
軽トラック荷台シート一辺に請求項１の７箇所のフックに合わせて穴を開け、それより２０ｃｍ下方左右の端から長さ７０ｃｍのチャックを２本縫い付け、真ん中に空間を作り、シートに傾斜を付ける取り外し自由な棒が入り、そのチャックを防水シートで一辺は縫い付け固定し、一辺はマジックテープで開閉が自由にできるように覆う軽トランク荷台シート
【考案の詳細な説明】
【背景技術】
【０００１】  現在の軽トラック荷台シートは雨の侵入が容易で、荷台のたまり雨水で、材料や道具の入ったダンボール箱の底が弱くなり、運び出す際にはダンボール箱の底が抜けたり、道具が錆びついたりしてしまいます。雨水の浸入を防げないかと考案しました。
【考案を実施するための最良の形態】
【０００２】  ステンレス製の傾斜をつけた屋根１に支える足３を付け、軽トラックに固定するため、傾斜をつけた屋根１の背中側２を支える足３の長さよりシートが通る分長めに覆い、覆った背中側２の内側の足３の部分２箇所・屋根の部分に５箇所の計７箇所にフック４を付ける。
屋根真ん中下のフック４の下に、シートに傾斜をつけるための取り外し自由の棒５を支える受け口６を付ける。
長方形荷台シートの短い一辺７筒所に穴７を開け、２０ｃｍ下方左右両端から７０ｃｍのチャック８を２本縫いこみ、チャックの縫いこまれていない部分に、シートに傾斜を付けるための取り外し自由の棒５を受け口６と軽トラック後方にはめ込む。縫いこまれたチャック８の上に防水シート９を一辺は縫込み１０固定し、もう一辺はマジックテープ１１で開閉が自由にできるように覆う。この防水シート９でチャック８からの雨水の浸入が防げ、専用屋根１前方からの雨水の浸入も防げる、専用屋根付き軽トラック荷台シート３０となる。
【図面の簡単な説明】
【０００３】
【図１】  本考案にかかる軽トラック荷台シートの専用屋根。
【図２】  本考案にかかる軽トラック荷台シートの専用屋根正面図。
【図３】  本考案にかかる軽トラック荷台シートの傾斜付け自由棒取付図。
【図４】  本考案にかかる軽トラック荷台シートチャック図。
【図５】  本考案にかかる軽トラック荷台シート図。
【図６】  本考案にかかる専用屋根付き軽トラック荷台シート。
【符号の説明】
【０００４】専用屋根付き軽トラック荷台シート                    ３０
傾斜付き屋根                                          １
傾斜付き屋根の背中                                    ２
傾斜付き屋根を支える足                                ３
７箇所のフック                                        ４
シートに傾斜をつける取り外し自由棒                    ５
シートに傾斜をつける取り外し自由棒の受け口            ６
７箇所のフックに差し込むシートの穴                    ７
シートの二本のチャック                                ８
チャックを覆う防水シート                              ９
防水シート一辺の縫いこみ                            １０
防水シート一辺のマジックテープ                      １１
軽トラック荷台シートを車両にセットするゴム          １２
【図１】
0003176714.tif 000003
【図２】
0003176714.tif 000004
【図３】
0003176714.tif 000005
【図４】
0003176714.tif 000006
【図５】
0003176714.tif 000007
【図６】
0003176714.tif 000008
【手続補正書】
【提出日】平成24年2月5日(2012.2.5)
【手続補正１】
【補正対象書類名】実用新案登録請求の範囲
【補正対象項目名】全文
【補正方法】変更
【補正の内容】
【実用新案登録請求の範囲】
【請求項１】
ステンレス製の傾斜をつけた巾１０ｃｍの屋根に、屋根を支える足を垂直に付け、片面をステンレスで覆い、覆った内側７箇所にシートを接続させるためのフックを付け、真ん中フックの下に、シートに傾斜をつけるための取り外し自由棒の受け口６を付けた、軽トラック荷台シートの専用屋根。
【請求項２】
軽トラック荷台シートの専用屋根内側に付けた７箇所のフックに、荷台シートを接続させる７箇所の穴を開け、専用屋根のフックに接続させ、荷台シートの穴より２０ｃｍ下方の荷台シート右端と左端より、７０ｃｍのチャックを荷物搬入口として１本づつ縫い付け、縫い付けたチャックの上から雨水浸入防止の防水シートで一方は縫い付け、一方は面ファスナーでチャックを覆い、シートの真ん中に傾斜をつける取り外し自由棒５をはめた、軽トラック荷台シート。
【手続補正２】
【補正対象書類名】明細書
【補正対象項目名】０００２
【補正方法】変更
【補正の内容】
【０００２】マジックテープを面ファスナーに訂正
【手続補正３】
【補正対象書類名】明細書
【補正対象項目名】０００４
【補正方法】変更
【補正の内容】
【０００４】防水シート一辺のマジックテープを防水シート一辺の面ファスナーに訂正
【手続補正書】
【提出日】平成24年4月9日(2012.4.9)
【手続補正１】
【補正対象書類名】実用新案登録請求の範囲
【補正対象項目名】全文
【補正方法】変更
【補正の内容】
【実用新案登録請求の範囲】
【請求項１】
左右に傾斜して延びるステンレス製の巾１０ｃｍの屋根部と、屋根の長手側両端からそれぞれ垂下された一対の足部と、屋根及び一対の足の短手側端部に対し片面を覆うように取り付けられたステンレス製の背中部からなる軽トラック荷台シート専用屋根であって、背中部内側の屋根部及び足部近傍に対し左右対称に７つのフックを設け、背中部の中央のフックの下に、荷台シートに傾斜をつけるための棒部材を取り付ける受け口を設けたことを特徴とする軽トラック荷台シート専用屋根。
【請求項２】
請求項１記載の軽トラック荷台シート専用屋根に取り付けられる軽トラック荷台シートであって、荷台シートの上短辺に専用屋根のフックに接続させるために設けられた７箇所の穴と、それより２０ｃｍ下方であって左右長辺から中央に向かって縫い付けられた一対のチャックと、シートへの縫い付け部分と面ファスナーとを有し、各チャックを覆うように設けられた一対の防水シートとを有する軽トラック荷台シート。
【手続補正２】
【補正対象書類名】明細書
【補正対象項目名】０００２
【補正方法】変更
【補正の内容】
【０００２】ステンレス製の傾斜を付けた屋根１に支える足３を付け、軽トラックに固定するため、傾斜を付けた屋根１の背中側２を支える足３の長さよりシートが通る分長めに覆い、覆った背中側２の内側の足３の部分２箇所・屋根の部分５箇所の計７箇所にフック４を付ける。
屋根真ん中のフック４の下に、シートに傾斜をつけるための取り外し自由の棒５を支える受け口６を付ける。
長方形荷台シートの短い一辺７箇所に穴７を開け、２０ｃｍ下方左右両端から７０ｃｍのチャック８を２本縫込み、チャックの縫い込まれていない部分に、シートに傾斜を付けるための取り外し自由の棒５を受け口６と軽トラック後方にはめ込む。縫いこまれたチャック８の上に防水シート９を一辺は縫込み１０固定し、もう一辺は面ファスナー１１で開閉が自由にできるように覆う。この防水シート９でチャック８からの雨水の浸入が防げ、専用屋根１前方からの雨水の浸入も防げる、専用屋根付き軽トラック荷台シート３０となる。
【手続補正３】
【補正対象書類名】明細書
【補正対象項目名】０００３
【補正方法】変更
【補正の内容】
【０００３】
【図１】本考案にかかる軽トラック荷台シートの専用屋根
【図２】本考案にかかる軽トラック荷台シートの専用屋根正面図
【図３】本考案にかかる軽トラック荷台シートの傾斜付け自由棒取付図
【図４】本考案にかかる軽トラック荷台シートのチャック図
【図５】本考案にかかる軽トラック荷台シートの防水シート図
【図６】本考案にかかる専用屋根付き軽トラック荷台シート図
【図７】本考案にかかる専用屋根付き軽トラック荷台シート側面図
【手続補正４】
【補正対象書類名】明細書
【補正対象項目名】０００４
【補正方法】変更
【補正の内容】
【０００４】専用屋根付き軽トラック荷台シート                    ３０
傾斜付き屋根                                          １
傾斜付き屋根の背中                                    ２
傾斜付き屋根を支える足                                ３
７箇所のフック                                        ４
シートに傾斜をつける取り外し自由棒                    ５
シートに傾斜をつける取り外し自由棒の受け口            ６
７箇所のフックに差し込むシートの穴                    ７
シートの２本のチャック                                ８
チャックを覆う防水シート                              ９
防水シート一辺の縫込み                              １０
防水シート一辺の面ファスナー                        １１
軽トラック荷台シートを車両にセットするゴム          １２
【手続補正５】
【補正対象書類名】図面
【補正対象項目名】全図
【補正方法】変更
【補正の内容】
【図１】
0003176714.tif 000009
【図２】
0003176714.tif 000010
【図３】
0003176714.tif 000011
【図４】
0003176714.tif 000012
【図５】
0003176714.tif 000013
【図６】
0003176714.tif 000014
【図７】
0003176714.tif 000015